(57)【特許請求の範囲】
【請求項１】
複数の第１ビアホール及び複数の第２ビアホールを備えるベース基板と、
前記ベース基板の第１側にある複数の第１信号線と、
前記ベース基板の第１側にある複数の第２信号線であって、前記複数の第２信号線及び前記複数の第１信号線が互いに直交する、複数の第２信号線と、
前記ベース基板の第２側にある複数の第１信号駆動線と、
前記ベース基板の第２側にある複数の第２信号駆動線と、
を備えるアレイ基板において、
各前記第１信号線は、少なくとも１つの前記第１ビアホールを通じて少なくとも１本の前記第１信号駆動線に接続され、
前記アレイ基板は、前記ベース基板の第１側にある複数の信号補助線を更に備え、
前記アレイ基板は、複数の第３ビアホールを更に備え、
各前記第２信号線は、少なくとも１つの前記第３ビアホールを通じて少なくとも１本の前記信号補助線に接続され、各前記信号補助線は、少なくとも１つの前記第２ビアホールを通じて少なくとも１つの前記第２信号駆動線に接続され、前記複数の信号補助線は、前記複数の第１信号線と平行である
ことを特徴とするアレイ基板。
【請求項２】
複数の前記第１信号線はデータ線であり、複数の前記第１信号駆動線はソース駆動線であり、
複数の前記第２信号線はゲート線であり、複数の前記第２信号駆動線はゲート駆動線であり、複数の前記信号補助線はゲート補助線である
ことを特徴とする請求項１に記載のアレイ基板。
【請求項３】
前記ゲート線の総数は、前記ゲート補助線の総数と等しい
ことを特徴とする請求項２に記載のアレイ基板。
【請求項４】
前記データ線と前記ゲート補助線は第１層にある
ことを特徴とする請求項３に記載のアレイ基板。
【請求項５】
前記ゲート線は第２層にあり、
複数の前記第３ビアホールは、前記ゲート線と前記ゲート補助線の交差点にある
ことを特徴とする請求項４に記載のアレイ基板。
【請求項６】
前記第１ビアホールは、前記データ線の末端にある
ことを特徴とする請求項５に記載のアレイ基板。
【請求項７】
前記第２ビアホールは、前記ゲート補助線の末端にある
ことを特徴とする請求項６に記載のアレイ基板。
【請求項８】
前記データ線の末端と前記ゲート補助線の末端は、第１方向にある
ことを特徴とする請求項７に記載のアレイ基板。
【請求項９】
前記データ線の末端は第１方向にあり、
前記ゲート補助線の末端は、前記第１方向と逆方向である第２方向にある
ことを特徴とする請求項７に記載のアレイ基板。
【請求項１０】
前記ベース基板は、実質的に円形である
ことを特徴とする請求項２から９のいずれか一項に記載のアレイ基板。
【請求項１１】
前記ベース基板の中心領域にある１本の前記ゲート線は、前記ベース基板のエッジ領域にあるもう１本の前記ゲート線より長く、
前記ベース基板の中心領域にある１本の前記ゲート補助線は、前記ベース基板のエッジ領域にあるもう１本の前記ゲート補助線より長い
ことを特徴とする請求項１０に記載のアレイ基板。
【請求項１２】
前記ベース基板の中心領域にある１本の前記ゲート線は、前記ベース基板のエッジ領域にある１本の前記ゲート補助線に接続される
ことを特徴とする請求項１１に記載のアレイ基板。
【請求項１３】
請求項２から１２のいずれか一項に記載のアレイ基板を備える表示装置。
【請求項１４】
前記ベース基板の第２側に位置する駆動回路を更に備え、前記ゲート駆動線と前記ソース駆動線が前記駆動回路に接続される
ことを特徴とする請求項１３に記載の表示装置。
【請求項１５】
ベース基板を用意する手順と、
前記ベース基板に複数の第１ビアホール及び複数の第２ビアホールを形成する手順と、
前記ベース基板の第１側に複数の第１信号線を形成する手順と、
前記ベース基板の第１側に複数の第２信号線を形成する手順であって、前記複数の第２信号線及び前記複数の第１信号線が互いに直交する、第２信号線を形成する手順と、
前記ベース基板の第２側に複数の第１信号駆動線を形成する手順と、
前記ベース基板の第２側に複数の第２信号駆動線を形成する手順と、
を含む、アレイ基板の製造方法であって、
各前記第１信号線は、少なくとも１つの前記第１ビアホールを通じて少なくとも１本の前記第１信号駆動線に接続され、
前記方法は、前記ベース基板の第１側に複数の信号補助線を形成する手順をさらに含み、
前記アレイ基板は、複数の第３ビアホールを更に備え、
各前記第２信号線は、少なくとも１つの前記第３ビアホールを通じて少なくとも１本の前記信号補助線に接続され、各前記信号補助線は、少なくとも１つの前記第２ビアホールを通じて少なくとも１つの前記第２信号駆動線に接続され、前記複数の信号補助線は、前記複数の第１信号線と平行である、
ことを特徴とするアレイ基板の製造方法。
【請求項１６】
複数の前記第１信号線はデータ線であり、複数の前記第１信号駆動線はソース駆動線であり、
複数の前記第２信号線はゲート線であり、複数の前記第２信号駆動線はゲート駆動線であり、複数の前記信号補助線はゲート補助線である
ことを特徴とする請求項１５に記載のアレイ基板の製造方法。
【請求項１７】
前記ゲート線の総数は、前記ゲート補助線の総数と等しい
ことを特徴とする請求項１６に記載のアレイ基板の製造方法。
【請求項１８】
前記データ線と前記ゲート補助線は第１層にある
ことを特徴とする請求項１７に記載のアレイ基板の製造方法。
【請求項１９】
前記ゲート線は第２層にあり、
複数の前記第３ビアホールは、前記ゲート線と前記ゲート補助線の交差点にある
ことを特徴とする請求項１８に記載のアレイ基板の製造方法。
【請求項２０】
前記第１ビアホールは、前記データ線の末端にある
ことを特徴とする請求項１９に記載のアレイ基板の製造方法。
【請求項２１】
前記第２ビアホールは、前記ゲート補助線の末端にある
ことを特徴とする請求項２０に記載のアレイ基板の製造方法。
【請求項２２】
前記データ線の末端と前記ゲート補助線の末端は、第１方向にある
ことを特徴とする請求項２１に記載のアレイ基板の製造方法。
【請求項２３】
前記データ線の末端は、第１方向にあり、
前記ゲート補助線の末端は、前記第１方向と逆方向である第２方向にある
ことを特徴とする請求項２１に記載のアレイ基板の製造方法。
【請求項２４】
前記ベース基板は、実質的に円形である
ことを特徴とする請求項１６から２３のいずれか一項に記載のアレイ基板の製造方法。
【請求項２５】
前記ベース基板の中心領域にある１本の前記ゲート線は、前記ベース基板のエッジ領域にあるもう１本の前記ゲート線より長く、
前記ベース基板の中心領域にある１本の前記ゲート補助線は、前記ベース基板のエッジ領域にあるもう１本の前記ゲート補助線より長い
ことを特徴とする請求項２４に記載のアレイ基板の製造方法。
【請求項２６】
前記ベース基板の中心領域にある１本の前記ゲート線は、前記ベース基板のエッジ領域にある１本の前記ゲート補助線に接続される
ことを特徴とする請求項２５に記載のアレイ基板の製造方法。
【請求項２７】
請求項１３又は１４に記載の表示装置を製造する手順を含む
ことを特徴とする表示装置の製造方法。
【請求項２８】
前記ベース基板の第２側に駆動回路を形成する手順を更に含み、前記ゲート駆動線と前記ソース駆動線が前記駆動回路に接続される
ことを特徴とする請求項２７に記載の表示装置の製造方法。
【発明の詳細な説明】
【技術分野】
【０００１】
関連出願の相互参照
本ＰＣＴ出願は、２０１５年７月１３日に提出した中国特許出願Ｎｏ.２０１５１０４０９４４６.４の優先権を主張し、その全体が参照により本出願に援用される。
【０００２】
本開示主題は全体的には表示技術に関し、特にアレイ基板、それに関連する製造方法、及び該アレイ基板を備える表示装置に関する。
【背景技術】
【０００３】
インテリジェント装置として、スマートウォッチが広く注目を集めている。通常、スマートウォッチの表示パネルには制御チップを構成する必要があり、該表示パネルには狭フレーム特性が求められる。従って、スマートウォッチの従来の表示パネルは、正円の形を有していない。例えば、図１に示すように、表示パネル１では、ゲート線は横方向にあり、データ線が縦方向にある。ゲート線とデータ線は互いに交差して表示パネル１に複数の副画素を形成する。狭フレームという要件を保証するため、駆動回路を円形領域外に構成しない。図１に示すように、円形の表示パネル１の底部の弧は、駆動回路２を構成するために用いられ、表示パネル１は正円の形を有していない。
【０００４】
このため、アレイ基板、それに関連する表示装置、及び新しい製造方法を提供することが望まれている。
【発明の概要】
【発明が解決しようとする課題】
【０００５】
本開示主題のいくつかの実施例により、アレイ基板、該アレイ基板を製造する方法、及び関連する表示装置を提供する。
【課題を解決するための手段】
【０００６】
本開示の一つの方面は、アレイ基板を提供する。アレイ基板は、複数の第１ビアホールがあるベース基板と、ベース基板の第１側にある複数の第１信号線と、ベース基板の第２側にある複数の第１信号駆動線を備え、各第１信号線は、少なくとも１つの第１ビアホールを通じて少なくとも１本の第１信号駆動線に接続される。
【０００７】
いくつかの実施例では、アレイ基板は、ベース基板の第１側にある複数の第２信号線を更に備える。
【０００８】
いくつかの実施例では、アレイ基板は、ベース基板の第２側にある複数の第２信号駆動線を更に備える。ここで、ベース基板は複数の第２ビアホールを更に備え、各第２信号線は、少なくとも１つの第２ビアホールを通じて少なくとも１本の第２信号駆動線に接続される。
【０００９】
いくつかの実施例では、アレイ基板は、ベース基板の第１側にある複数の信号補助線を更に備え、各第２信号線は少なくとも１本の信号補助線に接続される。
【００１０】
いくつかの実施例では、アレイ基板は、ベース基板の第２側にある複数の第２信号駆動線を更に備える。ここで、ベース基板は複数の第２ビアホールを更に備え、各信号補助線は、少なくとも１つの第２ビアホールを通じて少なくとも１本の第２信号駆動線に接続される。
【００１１】
いくつかの実施例では、複数の第１信号線はデータ線であり、複数の第１信号駆動線はソース駆動線であり、そして複数の第２信号線はゲート線であり、複数の第２信号駆動線はゲート駆動線であり、複数の信号補助線はゲート補助線である。
【００１２】
いくつかの実施例では、データ線はゲート補助線と平行である。
【００１３】
いくつかの実施例では、ゲート線の総数は、ゲート補助線の総数と等しい。
【００１４】
いくつかの実施例では、データ線とゲート補助線は第１層にある。
【００１５】
いくつかの実施例では、ゲート線は第２層にあり、ベース基板は複数の第３ビアホールを更に備える。複数の第３ビアホールは、ゲート線とゲート補助線の交差点にあり、各ゲート線は、少なくとも１つの第３ビアホールを通じて少なくとも１つのゲート補助線に接続される。
【００１６】
いくつかの実施例では、第１ビアホールはデータ線の末端にある。
【００１７】
いくつかの実施例では、第２ビアホールはゲート補助線の末端にある。
【００１８】
いくつかの実施例では、データ線の末端とゲート補助線の末端は、第１方向にある。
【００１９】
いくつかの実施例では、データ線の末端は第１方向にあり、ゲート補助線の末端は第１方向と逆方向である第２方向にある。
【００２０】
いくつかの実施例では、ベース基板は実質的に円形である。
【００２１】
いくつかの実施例では、ベース基板の中心領域にある１本のゲート線はベース基板のエッジ領域にあるもう一本のゲート線より長い。そして、ベース基板の中心領域にある１本のゲート補助線はベース基板のエッジ領域にあるもう一本のゲート補助線より長い。
【００２２】
いくつかの実施例では、ベース基板の中心領域にある１本のゲート線は、ベース基板のエッジ領域にある１本のゲート補助線に接続される。
【００２３】
本開示の他の方面は、開示したアレイ基板を備える表示装置を提供する。
【００２４】
いくつかの実施例では、表示装置は、ベース基板の第２側に位置する駆動回路を更に備え、ゲート駆動線とソース駆動線は駆動回路に接続される。
【００２５】
本開示の他の方面は、アレイ基板を製造するための方法を含む。該方法は、ベース基板を用意する手順と、ベース基板に複数の第１ビアホールを形成する手順と、ベース基板の第１側に複数の第１信号線を形成する手順と、ベース基板の第２側に複数の第１信号駆動線を形成する手順と、を含み、各第１信号線は、少なくとも１つの第１ビアホールを通じて少なくとも１本の第１信号駆動線に接続される。
【００２６】
いくつかの実施例では、該方法は、ベース基板の第１側に複数の第２信号線を形成する手順を更に含む。
【００２７】
いくつかの実施例では、該方法は、ベース基板の第２側に複数の第２信号駆動線を形成する手順を更に含み、ベース基板は複数の第２ビアホールを更に備え、各第２信号線は、少なくとも１つの第２ビアホールを通じて少なくとも１本の第２信号駆動線に接続される。
【００２８】
いくつかの実施例では、該方法は、ベース基板の第１側に複数の信号補助線を形成する手順を更に含み、各第２信号線は少なくとも１本のみの信号補助線に接続される。
【００２９】
いくつかの実施例では、該方法は、ベース基板の第２側に複数の第２信号駆動線を形成する手順を更に含み、ベース基板は複数の第２ビアホールを更に備え、各信号駆動線は、少なくとも１つの第２ビアホールを通じて少なくとも１本の第２信号駆動線に接続される。
【００３０】
いくつかの実施例では、複数の第１信号線はデータ線であり、複数の第１信号駆動線はソース駆動線であり、そして、複数の第２信号線はゲート線であり、複数の第２信号駆動線はゲート駆動線であり、複数の信号補助線はゲート補助線である。
【００３１】
いくつかの実施例では、データ線はゲート補助線と平行である。
【００３２】
いくつかの実施例では、ゲート線の総数は、ゲート補助線の総数と等しい。
【００３３】
いくつかの実施例では、データ線とゲート補助線は第１層にある。
【００３４】
いくつかの実施例では、ゲート線は第２層にあり、ベース基板は複数の第３ビアホールを更に備え、複数の第３ビアホールはゲート線とゲート補助線の交差点にあり、各ゲート線は、少なくとも１つの第３ビアホールを通じて少なくとも１本のゲート補助線に接続される。
【００３５】
いくつかの実施例では、第１ビアホールはデータ線の末端にある。
【００３６】
いくつかの実施例では、第２ビアホールはゲート補助線の末端にある。
【００３７】
いくつかの実施例では、データ線の末端とゲート補助線の末端は、第１方向にある。
【００３８】
いくつかの実施例では、データ線の末端は第１方向にあり、ゲート補助線の末端は第１方向と逆方向である第２方向にある。
【００３９】
いくつかの実施例では、ベース基板は実質的に円形である。
【００４０】
いくつかの実施例では、ベース基板の中心領域にある１本のゲート線はベース基板のエッジ領域にあるもう１本のゲート線より長い。そして、ベース基板の中心領域にある１本のゲート補助線はベース基板のエッジ領域にあるもう１本のゲート補助線より長い。
【００４１】
いくつかの実施例では、ベース基板の中心領域にある１本のゲート線は、ベース基板のエッジ領域にある１本のゲート補助線に接続される。
【００４２】
本開示の他の方面は、アレイ基板を製造するための方法を組み入れている表示装置を製造するための方法を含む。
【００４３】
いくつかの実施例では、該方法は、ベース基板の第２側に駆動回路を形成する手順を更に含み、ゲート駆動線とソース駆動線は駆動回路に接続される。
【００４４】
本開示の他の方面は、本開示の明細書、請求項及び図面を参照して当業者が理解できるものである。
【００４５】
以下の図面とともに本開示主題の詳しい説明を参照することにより、本開示主題の様々な対象、特徴及び利点をより十分に理解できる。図面において、同一の参照番号は同一の要素を指す。なお、以下の図面は様々な開示した実施例を説明するための例に過ぎず、本開示の範囲を制限するものではない。
【図面の簡単な説明】
【００４６】
【図１】従来の円形の表示パネルの概略構造図である。
【図２】本開示主題のいくつかの実施例による例示的な円形のアレイ基板の概略正面構造図である。
【図３】本開示主題のいくつかの実施例による図２に示す例示的な円形のアレイ基板の概略背面構造図である。
【図４】本開示主題のいくつかの実施例による図２に示す例示的な円形のアレイ基板を備える例示的な表示装置の概略背面構造図である。
【図５】本開示主題のいくつかの実施例による図４に示す例示的な表示装置の概略断面構造図である。
【発明を実施するための形態】
【００４７】
本開示主題の技術案を当業者がより理解し易いよう、添付図面に示す本開示主題の例示的な実施例について詳細に説明する。可能な限り、同じ参照番号は、添付図面全体を通して同一または同等な部品に使用される。
【００４８】
様々な実施例により、本開示主題は、アレイ基板、該アレイ基板を製造するための方法、及び関連する表示装置を提供する。
【００４９】
アレイ基板は、複数の第１ビアホールがあるベース基板、ベース基板の第１側にある複数の第１信号線と、ベース基板の第２側にある複数の第１信号駆動線を備えことができ、各第１信号線は、少なくとも１つの第１ビアホールを通じて少なくとも１本の第１信号駆動線に接続される。
【００５０】
いくつかの実施例では、ベース基板は、ベース基板の第１側にある複数の第２信号線と、ベース基板の第２側にある複数の第２信号駆動線を更に備え、ベース基板は複数の第２ビアホールを更に備え、各第２信号線は、少なくとも１つの第２ビアホールを通じて少なくとも１本の第２信号駆動線に接続される。
【００５１】
いくつかの実施例では、アレイ基板は、ベース基板の第１側にある複数の信号補助線を更に備え、各第２信号線は少なくとも１本のみの信号補助線に接続される。
【００５２】
いくつかの実施例では、アレイ基板は、ベース基板の第２側にある複数の第２信号駆動線を更に備え、ベース基板は複数の第２ビアホールを更に備え、各信号補助線は、少なくとも１つの第２ビアホールを通じて少なくとも１本の第２信号駆動線に接続される。
【００５３】
いくつかの実施例では、複数の第１信号線はデータ線であり、複数の第１信号駆動線はソース駆動線であり、複数の第２信号線はゲート線であり、複数の第２信号駆動線はゲート駆動線であり、複数の信号補助線はゲート補助線である。
【００５４】
いくつかの実施例では、データ線がゲート補助線と平行であり、ゲート線の総数はゲート補助線の総数と等しい。
【００５５】
いくつかの実施例では、データ線とゲート補助線は第１層にあり、ゲート線は第２層にあり、ベース基板は複数の第３ビアホールを更に備え、複数の第３ビアホールはゲート線とゲート補助線の交差点にあり、そして、各ゲート線は、少なくとも１つの第３ビアホールを通じて少なくとも１本のゲート補助線に接続される。
【００５６】
いくつかの実施例では、第１ビアホールはデータ線の末端にあり、第２ビアホールはゲート補助線の末端にあり、データ線の末端とゲート補助線の末端は第１方向にある。
【００５７】
いくつかの実施例では、データ線の末端は第１方向にあり、そして、ゲート補助線の末端は第１方向と逆方向である第２方向にある。
【００５８】
いくつかの実施例では、ベース基板は、実質的に円形である。
【００５９】
いくつかの実施例では、ベース基板の中心領域にある１本のデータ線はベース基板のエッジ領域にあるもう１本のデータ線より長い。ベース基板の中心領域にある１本のゲート線はベース基板のエッジ領域にあるもう１本のゲート線より長い。そして、ベース基板の中心領域にある１本のゲート補助線はベース基板のエッジ領域にあるもう１本のゲート補助線より長い。
【００６０】
いくつかの実施例では、ベース基板の中心領域にある１本のゲート線は、ベース基板のエッジ領域にある１本のゲート補助線に接続される。
【００６１】
図２及び図３はそれぞれ、本開示主題の実施例による例示的な円形のアレイ基板の正面図と背面図である。
【００６２】
図２に示すように、アレイ基板の前面は、ベース基板１１０の第１面、例えば前面と、複数のデータ線１２０と、複数のゲート線１３０と、複数のゲート補助線１４０と、複数の第１ビアホール１５０と、複数の第２ビアホール１６０と、複数の第３ビアホール１７０とを備えることができる。
【００６３】
いくつかの実施例では、複数のデータ線１２０と複数のゲート線１３０を、ベース基板１１０の第１面に形成できる。複数のデータ線１２０と複数のゲート線１３０は、互いに他方と直交して交差点で複数の副画素を形成する。
【００６４】
いくつかの実施例では、複数のゲート補助線１４０は、複数のデータ線１２０と平行であることができる。ゲート補助線１４０の数は、ゲート線１３０の数と等しい。各ゲート補助線は、対応するゲート線に接続される。
【００６５】
ベース基板１１０において、各第１ビアホール１５０は、対応するデータ線１２０の一方の末端に形成され、各第２ビアホール１６０は、対応するゲート補助線１４０の一方の末端に形成される。
【００６６】
図３において、本開示主題のいくつかの実施例による例示的な円形のアレイ基板の概略背面構造図を提供する。
【００６７】
図示のように、アレイ基板の裏側は、ベース基板１１０の第２面、例えば背面と、複数のソース駆動線２１０と、複数のゲート駆動線２２０を備えることができる。
【００６８】
いくつかの実施例では、ソース駆動線２１０の数はデータ線１２０の数と等しく、ゲート駆動線２２０の数はゲート線１３０の数と等しい。
【００６９】
各ソース駆動線２１０は、対応する第１ビアホール１５０を通じて対応するデータ線に接続される。各ゲート駆動線２２０は、対応する第２ビアホール１６０を通じて対応するゲート補助線１４０に接続される。
【００７０】
各データ線１２０と各ゲート線１３０があるゲート補助線１４０と対応でき、対応する第１ビアホール１５０と対応する第２ビアホール１６０を通じて円形のアレイ基板１００の裏側に接続できるため、駆動回路を円形のアレイ基板１００の裏側に配置できる。従って、狭フレームという要件を満たしつつ、表示領域の前側が正円になり得る。
【００７１】
いくつかの実施例では、複数の第１ビアホール１５０と複数の第２ビアホール１６０を、任意の適当な場所に位置できる。例えば、複数の第１ビアホール１５０と複数の第２ビアホール１６０を、円形のアレイ基板の弧の端部に割り当てることができる。
【００７２】
他の例として、図２及び図３に示すように、複数の第１ビアホール１５０全てを、複数のデータ線１２０の同じ末端に対応する半円の端部に割り当てることができる。また、複数の第２ビアホール１６０全てを、複数のゲート補助線１４０の同じ末端に対応する反対側の半円の端部に割り当てることができる。このような例において、複数のビアホールは均一なレイアウトとすることができ、よって、製造が便利になることができる。
【００７３】
いくつかの実施例では、複数のデータ線１２０と、複数のゲート線１３０と、複数のゲート補助線１４０を、任意の適当なレイアウトに割り当てることができる。例えば、複数のデータ線１２０と、複数のゲート線１３０と、複数のゲート補助線１４０を、三つの異なる層に割り当てることができる。他の例として、図２に示すように、複数のデータ線１２０と複数のゲート補助線１４０を第１層に割り当てることができ、複数のゲート線１３０を第２層に形成できる。第２層は、第１層の上にある。このような例において、ゲート線１３０はそれに対応するゲート補助線１４０と、ゲート線１３０とそれに対応するゲート補助線１４０の交差点に位置するビアホール１７０を通じて接続される。
【００７４】
１対１の通信は、複数のゲート線１３０と複数のゲート補助線１４０の間で行う。いくつかの実施例では、１対１の関係が保証される限り、その間の抵抗が十分に小さければ、ゲート線１３０を任意のゲート補助線に接続することができる。
【００７５】
いくつかの実施例では、図２に示すように、長いゲート線１３０は短いゲート補助線１４０に接続され、短いゲート線１３０は長いゲート補助線１４０に接続される。ゲート線１３０とそれに対応するゲート補助線１４０を１つのグループに設定する場合、ゲート線１３０の長さと対応するゲート補助線１４０の長さを合計してグループの長さとする。より良い表示効果を実現するために、複数のグループのそれぞれの長さを望む通りに設定できる。
【００７６】
本開示主題のいくつかの実施例により、上記の円形のアレイ基板を備える表示装置を提供できる。該表示装置は、表示機能を持つ任意の適当な装置であってもよい。
【００７７】
図４及び図５は、本開示主題のいくつかの実施例による図２に示す例示的な円形のアレイ基板を用いる例示的な表示装置の概略背面構造図と概略断面構造図を示す。
【００７８】
いくつかの実施例では、表示装置は、図２及び図３を参照して説明した上記円形のアレイ基板と、円形のベース基板１１０の裏側に位置する駆動回路２３０と、複数のソース駆動線２１０と、複数のゲート駆動線２２０を備えることができる。
【００７９】
図示のように、複数のソース駆動線２１０と複数のゲート駆動線２２０は駆動回路２３０に接続される。駆動回路２３０は、駆動チップとフレキシブル回路基板を備えることができる。
【００８０】
いくつかの実施例では、図５に示すように、アレイ基板の前側は有機発光層１８０と封止層１９０を更に備えることができる。絶縁層２４０を、複数のデータ線１２０の層と複数のゲート線１３０の層の間に形成することができる。
【００８１】
本開示主題のいくつかの実施例により、上記の円形のアレイ基板を製造するための方法を提供できる。いくつかの実施例において、該方法は下記ステップを含むことができる。
【００８２】
ステップ１：円形のベース基板に、複数のデータ線と、複数のゲート線と、複数のゲート補助線のパターンを形成する。
【００８３】
いくつかの実施例では、複数のデータ線は互いに平行であり、複数のゲート線は互いに平行であり、そして、複数のゲート補助線は互いに平行である。いくつかの実施例では、複数のデータ線は複数のゲート補助線と平行である。いくつかの実施例では、ゲート線の数はゲート補助線の数と等しい。いくつかの実施例では、各ゲート線を対応するゲート補助線に接続する。
【００８４】
いくつかの実施例では、複数のデータ線と複数のゲート補助線のパターンを、一度のパターニング処理によって第１層に形成できる。一度のパターニング処理は、フォトレジスト塗布、露光、現像、エッチング、フォトレジスト剥離及び他の適当な処理を含むことができる。
【００８５】
いくつかの実施例では、複数のゲート線のパターンを、絶縁層によって第１層から分離された第２層に形成できる。対応する第３ビアホールに通じて対応するゲート補助線に各ゲート線を接続する。複数の第３ビアホールは、複数のゲート線とそれに対応するゲート補助線の交差点にある。
【００８６】
ステップ２：複数の第１ビアホールと複数の第２ビアホールを形成する。複数の第１ビアホールを複数のデータ線の末端に位置させて、複数のデータ線を円形のベース基板の背側に接続するのに用いることができる。複数の第２ビアホールを複数のゲート補助線の末端に位置させて、複数のゲート補助線を円形のベース基板の背側に接続するのに用いることができる。
【００８７】
いくつかの実施例では、複数の第１ビアホールを、複数のデータ線の同一の末端に対応する半円の端部に形成する。複数の第２ビアホールを、複数のゲート補助線の同一の末端に対応する反対側の半円の端部に形成する。このように、複数のビアホールは均一なレイアウトとすることができ、よって、製造が便利になることができる。
【００８８】
ステップ３：電子発光材料の蒸着を実施し、画素電極を含むパターンを製作し、封止をする。いくつかの実施例では、複数の第１ビアホールと複数の第２ビアホールの露出を確保しなければならない。
【００８９】
なお、ビアホールを備えるパターンの各層は、任意の適当なパターニング処理を用いることによって形成できる。
【００９０】
ここで記述した例示を示す用語（「例えば」、「例として」「を含む」などの表現も同じ）は、請求する主題を特定の例に制限するものと解釈してはならない。むしろ、このような例は、多くの可能な方面の一部のみを例示することを目的とする。
【００９１】
このように、円形のアレイ基板、該円形のアレイ基板の製造方法、及び関連表示装置を提供する。
【００９２】
以上の実施例で本開示主題を説明したが、本開示は例に過ぎず、本開示主題の趣旨と範囲を逸脱することなく、本開示主題の実施例の詳細への様々な変更が可能であると理解すべきである。本開示主題の範囲は、添付の請求の範囲のみにより制限される。開示した実施例の技術案は、様々に組み合わせ、または再配置することができる。本開示主題の趣旨と範囲を逸脱することなく、変形、同等物、または本開示主題への改善は当業者によって明らかであり、本開示の範囲内にあると意図される。
【符号の説明】
【００９３】
１  表示パネル
２  駆動回路
１１０  ベース基板
１２０  データ線
１３０  ゲート線
１４０  ゲート補助線
１５０  第１ビアホール
１６０  第２ビアホール
１７０  ビアホール
１８０  有機発光層
２１０  ソース駆動線
２２０  ゲート駆動線
２３０  駆動回路
２４０  絶縁層
【図１】
0006752153.tif 000002
【図２】
0006752153.tif 000003
【図３】
0006752153.tif 000004
【図４】
0006752153.tif 000005
【図５】
0006752153.tif 000006